(57)【要約】  ユーザ機器（ＵＥ）装置は、ＵＥ装置のサービング基地局に上りリンクデータ送信を送信するようにスケジューリングされている。上りリンクデータ送信は、サービング基地局によってサービスが提供されている少なくとも１つの他のＵＥ装置によって使用されるサブフレーム構造とは異なるサブフレーム構造を有する特殊サブフレームを含む。例えば、特殊サブフレームは、特殊サブフレームの第１のシンボルの空白部分と、他のＵＥ装置によって使用されるサブフレーム構造と比較したときより高い参照信号のシンボル密度と、を含む。ターゲット基地局は、特殊サブフレームの特徴を利用して、ＵＥ装置とターゲット基地局との間の上りリンクチャネルを取得及び推定して、上りリンクデータ送信を受信及び復号する。上りリンクデータ送信を復号した後、ＵＥ装置は、サービング基地局からターゲット基地局へハンドオーバされる。
2019530303.tif 000002
【特許請求の範囲】
【請求項１】
上りリンクデータ送信を送信するように、サービング基地局によりサービスが提供されているユーザ機器（ＵＥ）装置をスケジューリングすることであって、前記上りリンクデータ送信は、前記サービング基地局によってサービスが提供されている少なくとも１つの他のＵＥ装置によって使用されているサブフレーム構造とは異なるサブフレーム構造を有する特殊サブフレームを含み、前記特殊サブフレームは、少なくとも部分的に空白になっている第１のシンボルを含む、ことと、
前記ＵＥ装置が、前記上りリンクデータ送信を送信することと、
ターゲット基地局が、前記ＵＥ装置用の測定に基づく上りリンクのタイミングを有することなく、前記上りリンクデータ送信を復号することと、
前記サービング基地局から前記ターゲット基地局への前記ＵＥ装置のハンドオーバを実行することと、を含む、方法。
【請求項２】
前記特殊サブフレームは、前記少なくとも１つの他のＵＥ装置によって使用されている前記サブフレーム構造に含まれていない少なくとも１つの追加の参照信号（ＲＳ）シンボルを更に含む、請求項１に記載の方法。
【請求項３】
前記ターゲット基地局に対して、タイミングアドバンス（ＴＡｔａｒｇｅｔ）を判定することを更に含む、請求項１に記載の方法。
【請求項４】
ＴＡｔａｒｇｅｔは、前記ＵＥ装置によって判定され、
前記ＵＥ装置は、前記判定されたＴＡｔａｒｇｅｔを前記サービング基地局に送信する、請求項３に記載の方法。
【請求項５】
ＴＡｔａｒｇｅｔは、前記サービング基地局によって判定され、前記サービング基地局は、前記判定されたＴＡｔａｒｇｅｔを前記ＵＥ装置へ送信する、請求項３に記載の方法。
【請求項６】
前記判定されたＴＡｔａｒｇｅｔに少なくとも部分的に基づいて、前記第１のシンボルのうちのどれだけを空白にするべきかを判定することを更に含む、請求項３に記載の方法。
【請求項７】
前記第１のシンボルの空白部分は、前記第１のシンボルの先端から始まり、持続期間ｔｂｌａｎｋの間継続し、（ＴＡｔａｒｇｅｔ−ＴＡｓｅｒｖｉｎｇ）≦ｔｂｌａｎｋ≦１シンボル期間であり、ＴＡｓｅｒｖｉｎｇは、前記サービング基地局に対するタイミングアドバンスである、請求項６に記載の方法。
【請求項８】
前記特殊サブフレームにおけるデータシンボル及び１つ以上のＲＳシンボルは、前記ＵＥ装置と前記ターゲット基地局との間の距離が前記サービング基地局のカバレッジエリアの半径より大きい場合、拡張サイクリックプレフィックス（ＣＰ）を使用する、請求項１に記載の方法。
【請求項９】
１つ以上の以前の上りリンクデータ送信が失敗した場合、次の上りリンクデータ送信を送信するための前記ＵＥ装置の送信電力を増加させることを更に含む、請求項１に記載の方法。
【請求項１０】
前記ＵＥ装置が、前記ターゲット基地局へハンドオーバ確認メッセージを送信することであって、前記ハンドオーバ確認メッセージは、前記ターゲット基地局を対象とした上りリンクデータを含む、ことを更に含む、請求項１に記載の方法。
【請求項１１】
送信部を含むユーザ機器（ＵＥ）装置と、
前記ＵＥ装置にサービスを提供するサービング基地局であって、前記サービング基地局は、上りリンクデータ送信を送信するように前記ＵＥ装置をスケジューリングするように構成された制御部を含み、前記上りリンクデータ送信は、前記サービング基地局によってサービスが提供されている少なくとも１つの他のＵＥ装置によって使用されているサブフレーム構造とは異なるサブフレーム構造を有する特殊サブフレームを含み、前記特殊サブフレームは、少なくとも部分的に空白である第１のシンボルを含む、サービング基地局と、
ターゲット基地局であって、前記ターゲット基地局は、
前記ＵＥ装置から前記上りリンクデータ送信を受信するように構成された受信部と、
前記受信部に連結された制御部であって、前記制御部は、前記ＵＥ装置用の測定に基づく上りリンクのタイミングを有することなく、前記上りリンクデータ送信を復号することと、前記サービング基地局から前記ターゲット基地局への前記ＵＥ装置のハンドオーバのネゴシエーションを行うことと、を行うように構成された、制御部と、を含む、ターゲット基地局と、を備える、システム。
【請求項１２】
前記特殊サブフレームは、前記少なくとも１つの他のＵＥ装置によって使用されている前記サブフレーム構造に含まれていない少なくとも１つの追加の参照信号（ＲＳ）シンボルを更に含む、請求項１１に記載のシステム。
【請求項１３】
前記ＵＥ装置は、前記ターゲット基地局に対するタイミングアドバンス（ＴＡｔａｒｇｅｔ）を判定するように構成された制御部を更に含み、前記ＵＥ装置の前記送信部は、前記判定されたＴＡｔａｒｇｅｔを前記サービング基地局へ送信するように構成されている、請求項１１に記載のシステム。
【請求項１４】
前記サービング基地局の前記制御部は、前記ターゲット基地局に対するタイミングアドバンス（ＴＡｔａｒｇｅｔ）を判定するように更に構成され、前記サービング基地局は、前記ＵＥ装置に前記判定されたＴＡｔａｒｇｅｔを送信するように構成された送信部を更に含む、請求項１１に記載のシステム。
【請求項１５】
前記サービング基地局は、前記サービング基地局に対するタイミングアドバンス（ＴＡｓｅｒｖｉｎｇ）を前記ＵＥ装置に送信するように構成された送信部を更に含む、請求項１１に記載のシステム。
【請求項１６】
前記サービング基地局の前記制御部は、前記ターゲット基地局に対するタイミングアドバンス（ＴＡｔａｒｇｅｔ）に少なくとも部分的に基づいて、前記第１のシンボルのうちのどれだけを空白にするべきかを判定するように更に構成されている、請求項１１に記載のシステム。
【請求項１７】
前記第１のシンボルの空白部分は、前記第１のシンボルの先端から始まり、持続期間ｔｂｌａｎｋの間継続し、（ＴＡｔａｒｇｅｔ−ＴＡｓｅｒｖｉｎｇ）≦ｔｂｌａｎｋ≦１シンボル期間であり、ＴＡｓｅｒｖｉｎｇは、前記サービング基地局に対するタイミングアドバンスである、請求項１６に記載のシステム。
【請求項１８】
前記特殊サブフレームにおけるデータ及び１つ以上のＲＳシンボルは、前記ＵＥ装置と前記ターゲット基地局との間の距離が前記サービング基地局のカバレッジエリアの半径より大きい場合、拡張サイクリックプレフィックス（ＣＰ）を使用する、請求項１１に記載のシステム。
【請求項１９】
前記ＵＥ装置は、１つ以上の以前の上りリンクデータ送信が失敗した場合、次の上りリンクデータ送信を送信するための前記ＵＥ装置の送信電力を増加させるように構成された制御部を更に含む、請求項１１に記載のシステム。
【請求項２０】
ユーザ機器（ＵＥ）装置が、前記ＵＥ装置にサービスを提供しているサービング基地局に上りリンクデータ送信を送信することと、
ターゲット基地局が、前記上りリンクデータ送信から前記ＵＥ装置の上りリンクのタイミングを取得することと、を含む、方法。
【発明の詳細な説明】
【優先権の主張】
【０００１】
本出願は、本出願の譲受人へ譲渡され、その全体が参照により本明細書に明示的に援用されている、２０１６年９月３０日に出願された、発明の名称が「Ｓｐｅｃｉａｌ  Ｕｐｌｉｎｋ  Ｓｕｂｆｒａｍｅ  ｆｏｒ  Ｅｎｈａｎｃｅｄ  Ｍｏｂｉｌｉｔｙ」である仮出願第６２／４０２，５２６号の優先権を主張する。
【技術分野】
【０００２】
本発明は、全般的には、無線通信に関し、特に、基地局間のユーザ機器装置のハンドオーバに関する。
【背景技術】
【０００３】
従来のハンドオーバでは、ユーザ機器（ＵＥ）装置がサービング基地局からターゲット基地局にハンドオーバされた後、ＵＥ装置は、ＵＥ装置が、（１）ターゲット基地局に同期されるまで、かつ（２）ターゲット基地局への上りリンクアクセスを取得するために必要な任意の他のリソースを有するまで、上りリンクデータ送信を停止する。ターゲット基地局と同期するために、ＵＥ装置は、上りリンク信号をターゲット基地局に送信し、ターゲット基地局は、受信した上りリンク信号を使用して、タイミングアドバンス（ＴＡ）を算出する。ＴＡは、ＵＥ装置の上りリンク送信をターゲット基地局に同期させるために必要である。ターゲット基地局は、ＵＥ装置が、ターゲット基地局への上りリンクアクセスを得るために必要な任意の他のリソースと共に、ＵＥ装置に直接的に又は間接的にＴＡをシグナル伝達する。
【発明の概要】
【０００４】
ユーザ機器（ＵＥ）装置は、ＵＥ装置のサービング基地局に上りリンクデータ送信を送信するようにスケジューリングされている。上りリンクデータ送信は、サービング基地局によってサービスが提供されている少なくとも１つの他のＵＥ装置によって使用される物理構造とは異なる特別な物理構造を含む。特殊サブフレームの物理構造が使用される例では、特殊サブフレームは、（１）特殊サブフレームの第１のシンボルの空白部分、及び／又は（２）他のＵＥ装置によって使用されるサブフレーム構造と比較してより高い参照信号のシンボル密度を含む。ターゲット基地局は、特殊サブフレームの特徴を利用して、ＵＥ装置とターゲット基地局との間の上りリンクチャネルを取得及び推定して、上りリンクデータ送信を受信及び復号する。上りリンクデータ送信を復号した後、ＵＥ装置は、サービング基地局からターゲット基地局へハンドオーバされる。
【図面の簡単な説明】
【０００５】
図１は、ターゲット基地局が、ＵＥ装置用の測定に基づく上りリンクのタイミングを有することなく上りリンクデータ送信を復号することを可能にする特殊サブフレームを含む、ＵＥ装置が上りリンクデータ送信を送信する例に関する通信システムのブロック図である。
【０００６】
図２Ａは、図１に示す基地局の一例のブロック図である。
【０００７】
２Ｂは、図１に示すＵＥ装置の一例のブロック図である。
【０００８】
図２Ｃは、図１のＵＥ装置によって使用される特殊サブフレームの例とサービング基地局によってサービスが提供されている別のＵＥ装置によって使用されるサブフレームとの間の比較を示すブロック図である。
【０００９】
図３は、図１に示す様々なシステム構成要素間でやり取りされるメッセージの一例のメッセージ伝達図である。
【００１０】
図４は、ターゲット基地局が、ＵＥ装置用の測定に基づく上りリンクのタイミングを有することなく上りリンクデータ送信を復号することを可能にする特殊サブフレームを含む、ＵＥ装置が上りリンクデータ送信を送信する方法の一例のフローチャートである。
【００１１】
図５は、ターゲット基地局が上りリンクデータ送信からＵＥ装置の上りリンクのタイミングを取得する方法の一例のフローチャートである。
【発明を実施するための形態】
【００１２】
サービング基地局からターゲット基地局へのユーザ機器（ＵＥ）装置の従来のハンドオーバの１つの欠点は、データ通信継続性の欠損が存在することである。例えば、従来のハンドオーバでは、ＵＥ装置がターゲット基地局にハンドオーバされた後、ＵＥ装置が、（１）ターゲット基地局に同期されるまで、かつ（２）ターゲット基地局への上りリンクアクセスを取得するために必要な任意の他のリソースを有するまで、上りリンクデータ送信が必然的に停止する。ターゲット基地局と同期するために、ＵＥ装置は、ランダムアクセスチャネル（ＲＡＣＨ）信号などの上りリンク信号をターゲット基地局に送信し、ターゲット基地局は、受信した上りリンク信号を使用して、タイミングアドバンス（ＴＡ）を算出する。ＴＡは、ＵＥ装置の上りリンク送信をターゲット基地局に同期させるために必要である。ターゲット基地局は、ＵＥ装置が、ターゲット基地局への上りリンクアクセスを得るために必要な任意の他のリソースと共に、ＵＥ装置に直接的に又は間接的にＴＡをシグナル伝達する。
【００１３】
本明細書に記載の例の利点の一つは、ターゲット基地局が、ＵＥ装置がサービング基地局へ送信している上りリンクデータ送信からＵＥ装置の上りリンクのタイミングを取得することができることである。よって、ターゲット基地局がターゲット基地局に対するＵＥ装置のためのタイミングアドバンス（ＴＡｔａｒｇｅｔ）を判定するために、従来のハンドオーバのように、ＵＥ装置は、上りリンクデータ送信を停止する必要はない。したがって、従来のハンドオーバで発生する追加の待ち時間が短縮される。更に、ＵＥ装置がハンドオーバの完了時にＴＡｔａｒｇｅｔを有するため、ＵＥ装置は、ＴＡｔａｒｇｅｔ及びＵＥ装置がターゲット基地局への上りリンクアクセスを取得するのに必要な他のリソースを使用して、途切れることなく上りリンクデータ送信を送り続けることができる。したがって、本明細書に記載の例は、有利には、ハンドオーバ処理中及びハンドオーバ処理後のデータ通信継続性が可能である。
【００１４】
図１は、ターゲット基地局が、ＵＥ装置用の測定に基づく上りリンクのタイミングを有することなく（例えば、上りリンクデータ送信を受け取る前にターゲット基地局によって測定されたＵＥ装置に対する上りリンクのタイミングを有することなく）上りリンクデータ送信を復号することを可能にする特殊サブフレームを含む、ＵＥ装置が上りリンクデータ送信を送信する例に関する通信システムのブロック図である。本明細書で説明される例は、「特殊サブフレーム」について言及するが、他の例では、上りリンクデータ送信は、サービング基地局によってサービスが提供されている他のＵＥ装置によって使用される物理構造とは異なる任意の代替の特別な物理構造を有することができると考えられる。通信システム１００は、無線アクセスネットワークの一部である様々な基地局のそれぞれのサービスエリア内に位置するＵＥ装置に様々な無線サービスを提供する無線アクセスネットワーク（図示せず）の一部である。
【００１５】
明確かつ簡潔にするために、通信システム１００は、サービング基地局１０２及びターゲット基地局１０４のみを有するものとして図示されている。しかしながら、他の例では、通信システム１００は、任意の好適な数の基地局を有することができると考えられる。図１の例では、サービング基地局１０２のためのサービスエリアの少なくとも一部は、セル１０８によって表され、ターゲット基地局１０４のためのサービスエリアの少なくとも一部は、セル１１０によって表される。セル１０８、１１０は、楕円で表されているが、典型的な通信システム１００は、複数のセルを有すると考えられ、それぞれのセルは、様々な形状の地理的サービスエリアを有する。ｅＮｏｄｅＢ又はｅＮＢと呼ばれる場合がある基地局１０２、１０４は、それぞれ下りリンク信号１１４、１１８をＵＥ装置１０６に送信することによって無線ユーザ機器（ＵＥ）装置１０６と通信する。基地局１０２、１０４は、ＵＥ装置１０６から送信された上りリンク信号１１６を受信する。ＵＥ装置１０６は、例えば、携帯電話、トランシーバモデム、携帯情報端末（ＰＤＡ）、又はタブレットなどの任意の無線通信装置である。
【００１６】
基地局１０２、１０４は、既知の技術に従ってバックホール（図示せず）を介してネットワークに接続されている。図２Ａに示すように、サービング基地局１０２は、制御部２０４、送信部２０６、及び受信部２０８、並びに他の電子装置、ハードウェア、及びコードを含む。図２Ａは、サービング基地局１０２の回路及び構成を具体的に示しているが、同じ基地局回路及び構成が通信システム１００におけるターゲット基地局１０４に対して利用されている。基地局１０２は、本明細書で説明する機能を実行する任意の固定式、移動式、又は携帯型の機器である。基地局１０２を参照して説明される各ブロックの多様な機能及び動作は、任意の数の装置、回路、又は要素において実装されてもよい。機能ブロックのうちの２つ以上が単一の装置に統合されてもよいし、任意の単一の装置において実行されるように説明される機能が、複数の装置にわたって実装されてもよい。
【００１７】
図２Ａに示す例では、基地局１０２は、固定された装置、又はシステム展開時に特定の位置に設置される装置であってもよい。このような機器の例には、固定基地局又は固定送受信局が挙げられる。状況によっては、基地局１０２は、特定の位置に一時的に設置される移動機器であってもよい。このような機器の例には、発電機、太陽光パネル、及び／又はバッテリなどの発電装置を含むことができる移動送受信局が挙げられる。大重量型のこのような装置は、トレーラーによって輸送することができる。更に他の状況では、基地局１０２は、任意の特定の位置に固定されない携帯型装置であってもよい。したがって、基地局１０２は、状況によっては、ＵＥ装置などの携帯型ユーザ装置であってもよい。
【００１８】
制御部２０４は、本明細書で説明される機能を実行し、かつ基地局１０２の機能全体を促進する、ハードウェア、ソフトウェア、及び／又はファームウェアの任意の組み合わせを含む。適切な制御部２０４の一例は、メモリに接続されたマイクロプロセッサ又はプロセッサ装置上で動作するコードが挙げられる。送信部２０６は、無線信号を送信するように構成された電子装置を含む。状況によっては、送信部２０６は、複数の送信部を含むことができる。受信部２０８は、無線信号を受信するように構成された電子装置を含む。状況によっては、受信部２０８は、複数の受信部を含むことができる。受信部２０８及び送信部２０６は、それぞれ、アンテナ２１０を介して信号を受信及び送信する。アンテナ２１０は、別個の送信アンテナ及び受信アンテナを含むことができる。状況によっては、アンテナ２１０は、複数の送信アンテナ及び受信アンテナを含むことができる。
【００１９】
図２Ａの例の送信部２０６及び受信部２０８は、変調及び復調を含む高周波（ＲＦ）処理を実行する。したがって、受信部２０８は、低雑音増幅器（ＬＮＡ）及びフィルタなどの構成要素を含むことができる。送信部２０６は、フィルタ及び増幅器を含むことができる。他の構成要素には、アイソレータ、整合回路、及びその他のＲＦ構成要素が含まれてもよい。これらの構成要素は、他の構成要素と組み合わされて、又は協働して、基地局の機能を実行する。必要な構成要素は、基地局によって必要とされる特定の機能に依存し得る。
【００２０】
送信部２０６は変調器（図示せず）を含み、受信部２０８は復調器（図示せず）を含む。変調器は、下りリンク信号１１４の一部として送信される信号を変調し、複数の変調次数のうちの任意の１つを適用することができる。復調器は、複数の変調次数のうちの１つに従って基地局１０２で受信された上りリンク信号１１６を復調する。
【００２１】
図１に戻って、通信システム１００は、基地局１０２、１０４を介してＵＥ装置１０６に様々な無線サービスを提供する。本明細書では例として、通信システム１００は、第３世代パートナーシップ・プロジェクト・ロングターム・エボリューション（３ＧＰＰ  ＬＴＥ）の通信仕様の少なくとも１つの改定版に従って動作する。ＵＥ装置１０６は、図２Ｂに示されるように、最初にサービング基地局１０２にサービスが提供されているので、アンテナ２１２及び受信部２１４を介して下りリンク信号１１４を受信する。ＵＥ装置１０６は、アンテナ２１２及び受信部２１４の他に、制御部２１６及び送信部２１８、並びに他の電子装置、ハードウェア、及びコードを更に備える。ＵＥ装置１０６は、本明細書で説明される機能を実行する任意の固定式、移動式、又は携帯型の機器である。ＵＥ装置１０６を参照して説明されるブロックの種々の機能及び動作は、任意の数の装置、回路、又は素子において実装されてもよい。機能ブロックのうちの２つ以上は単一の装置に統合されてもよく、任意の単一の装置において実行されるように説明される機能は、複数の装置にわたって実施されてもよい。
【００２２】
制御部２１６は、本明細書で説明される機能を実行し、かつＵＥ装置の機能全体を促進する、ハードウェア、ソフトウェア、及び／又はファームウェアの任意の組み合わせを含む。適切な制御部２１６の一例は、メモリに接続されたマイクロプロセッサ又はプロセッサ装置上で動作するコードを含む。送信部２１８は、無線信号を送信するように構成された電子装置を含む。状況によっては、送信部２１８は、複数の送信部を含むことができる。受信部２１４は、無線信号を受信するように構成された電子装置を含む。状況によっては、受信部２１４は、複数の受信部を含むことができる。受信部２１４及び送信部２１８は、それぞれ、アンテナ２１２を介して信号を受信及び送信する。アンテナ２１２は、別個の送信アンテナ及び受信アンテナを含むことができる。状況によっては、アンテナ２１２は、複数の送信アンテナ及び受信アンテナを含むことができる。
【００２３】
図２Ｂの例の送信部２１８及び受信部２１４は、変調及び復調を含む高周波（ＲＦ）処理を実行する。したがって、受信部２１４は、低雑音増幅器（ＬＮＡ）及びフィルタなどの構成要素を含むことができる。送信部２１８は、フィルタ及び増幅器を含むことができる。他の構成要素には、アイソレータ、整合回路、及びその他のＲＦ構成要素が含まれてもよい。これらの構成要素は、他の構成要素と組み合わされて、又は協働して、ＵＥ装置機能を実行する。必要な構成要素は、ＵＥ装置によって必要とされる特定の機能に依存し得る。
【００２４】
送信部２１８は変調器（図示せず）を含み、受信部２１４は復調器（図示せず）を含む。変調器は、図１に示す上りリンク信号１１６の一部として送信される信号を変調するために複数の変調次数のうちの任意の１つを適用することができる。復調器は、複数の変調次数のうちの１つに従って下りリンク信号１１４、１１８を復調する。
【００２５】
図１に示す例の動作の開始時に、ＵＥ装置１０６は、サービング基地局１０２によってサービスが提供されている。そのため、下りリンク信号１１４を受信すると、ＵＥ装置１０６は、下りリンク信号１１４を復調する。これにより、サービング基地局１０２がＵＥ装置１０６に提供している無線サービスのうちの少なくとも１つに関連するデータを含む符号化データパケットが生成される。ＵＥ装置１０６は、制御部２１６を使用して符号化データパケットを復号して、データを取得する。図１において動作が進むにつれて、ＵＥ装置１０６は、サービング基地局１０２のセル１０８の外側縁部に接近し、かつターゲット基地局１０４のセル１１０の中心に向けて接近する。ＵＥ装置１０６の動きは、図１及び図３における破線の矢印で示されている。
【００２６】
サービング基地局１０２がＵＥ装置１０６をターゲット基地局１０４にハンドオーバすべきかどうかを判定するために、任意の１つ以上の好適な基準を使用してもよい。基準としては、例えば、サービング基地局１０２での無線輻輳、ＵＥ装置１０６とサービング基地局１０２との間の上りリンク／下りリンク信号についての劣悪な／悪化している信号品質、ＵＥ装置１０６とターゲット基地局１０４との間の上りリンク／下りリンク信号についての良好な／向上している信号品質、及び／又はターゲット基地局１０４による利用可能なリソースの不十分な利用が挙げられる。ただし、任意の他の好適な基準を使用することができると考えられる。
【００２７】
図１に示される例では、ＵＥ装置１０６をターゲット基地局１０４にハンドオーバするべきかどうかを判定するために使用される基準としては、ＵＥ装置１０６によって送信され、サービング基地局１０２によって受信される測定報告が挙げられる。測定報告は、１つ以上の隣接基地局から受信された参照信号（ＲＳ）信号についてＵＥ装置１０６によって行われた測定に基づく。図１の例では、測定報告は、ターゲット基地局１０４によって送信されたＲＳ信号に関するチャネル状態情報（ＣＳＩ）を含む。測定報告の送信は、信号３０２によって図３に表されている。サービング基地局１０２は、任意の他の好適な基準と共に測定報告を利用して、ＵＥ装置１０６をターゲット基地局１０４にハンドオーバするべきかどうかを判定する。図１に示される例では、サービング基地局１０２は、ＵＥ装置１０６がターゲット基地局１０４にハンドオーバされるべきであると判定している。
【００２８】
ＵＥ装置１０６がターゲット基地局１０４にハンドオーバされるべきであると判定した後、サービング基地局１０２は、ＵＥ装置１０６が上りリンクデータ送信を送信することとなることをターゲット基地局１０４に通知するメッセージを送信する。メッセージは、有線接続（例えば、Ｘ２）又は無線通信リンクを介して送信することができる。図１に示される例では、ＵＥ装置１０６が上りリンクデータ送信を送信することとなることをターゲット基地局１０４に通知するメッセージは、有線通信リンク１１２を介して送信される。
【００２９】
ＵＥ装置１０６が上りリンクデータ送信を送信することとなる旨のメッセージの送信は、信号３０４によって図３に表されている。メッセージは、ＵＥ識別子（ＵＥ  ＩＤ）、送信リソース（例えば、周波数及びタイムスロット）、送信フォーマット、変調次数、変調技術、符号化率、拡散符号、及び／又はターゲット基地局１０４に有用であると考えられる任意の他の情報などの、ターゲット基地局１０４が上りリンクデータ送信を復号するのに必要な全ての関連情報を含む。一例では、ＵＥ  ＩＤは、セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ）（Ｃ−ＲＮＴＩ）である。他の例では、上りリンクデータ送信を復号するためにターゲット基地局１０４によって必要とされる関連情報は事前に判定され、ターゲット基地局１０４は、ＵＥ装置１０６によって利用されることとなる特殊サブフレーム構造を既知である。これらの場合、サービング基地局１０２は、上りリンクデータ送信を復号する際に使用するために、ＵＥ  ＩＤ及び任意の必要な送信リソース情報（例えば、周波数及びタイムスロット）をターゲット基地局１０４に送信することができる。
【００３０】
ターゲット基地局１０４は、ＵＥ装置１０６が上りリンクデータ送信を送信することとなるというメッセージをターゲット基地局１０４が受信に成功したことを示す肯定応答を、有線通信リンク１１２を介して、サービング基地局１０２に送信する。肯定応答は、信号３０６により、図３に表されている。肯定応答を受信すると、サービング基地局１０２は、特殊サブフレームを含む上りリンクデータ送信を送信するようにＵＥ装置１０６をスケジューリングするが、これについては、以下でより十分に説明する。上りリンクデータ送信のスケジューリングは、信号３０８によって図３に表されている。ＵＥ装置１０６は、ターゲット基地局１０４が、ＵＥ装置１０６からの少なくとも１つの上りリンクデータ送信の復号に成功するまで、特殊サブフレームを含む上りリンクデータ送信を送信するようにスケジューリングされる。
【００３１】
上りリンクデータ送信は、サービング基地局１０２によってサービスが提供されている少なくとも１つの他のＵＥ装置（例えば、図１のＵＥ装置１０７）によって使用されているサブフレーム構造とは異なるサブフレーム構造を有する特殊サブフレームを含む。図１に示される例では、特殊サブフレームは、（１）少なくとも部分的に空白になっている第１のシンボルと、（２）サービング基地局１０２によってサービスが提供されている少なくとも１つの他のＵＥ装置によって使用されているサブフレーム構造に含まれていない、少なくとも１つの追加の参照信号（ＲＳ）シンボルと、を含む。無論、特殊サブフレームは、サブフレーム構造が、（１）特殊サブフレームと、サービング基地局１０２によってサービスが提供されている他のＵＥ装置によって送信されているサブフレームとの間の衝突が確実に回避され、（２）ターゲット基地局１０４が、ＵＥ装置１０６とターゲット基地局１０４との間の上りリンクチャネルの取得及び推定が容易になる範囲で、任意の他の好適なサブフレーム構造を有してもよい。
【００３２】
図２Ｃは、ＵＥ装置１０６によって使用される特殊サブフレームの例とサービング基地局１０２によってまたサービスが提供されているＵＥ装置１０７によって使用されるサブフレームとの間の比較を示すブロック図である。例えば、図２Ｃは、ＵＥ装置１０７によって使用されるサブフレーム２２０を示す。サブフレーム２２０は、それぞれ４つのデータシンボルを有する、第１のデータ領域２２２及び第３のデータ領域２３０を含む。サブフレーム２２０はまた、２つのデータシンボルを有する第２のデータ領域２２６を含む。サブフレーム２２０は、それぞれが１つのＲＳシンボルを有する第１の参照信号（ＲＳ）領域２２４及び第２のＲＳ領域２２８を更に含む。
【００３３】
図２Ｃはまた、ＵＥ装置１０６によって使用される特殊サブフレーム２３２を図示する。特殊サブフレーム２３２は、第１のデータ領域２３６を含む。サブフレーム２２０の第１のデータ領域２２２とは異なり、第１のデータ領域２３６の第１のシンボルは、部分的に空白である（例えば、データシンボルを含まない）。他の例では、第１のデータ領域２３６の第１のシンボルは、図２Ｃの例に示されているものよりも第１のシンボルの小さい又は大きい部分が空白であってもよく、場合によっては、第１のデータ領域２３６の第１のシンボル全体が空白であってもよい。更に他の例では、第１のシンボルはまた、あるいは代替的に、プリアンブル及び／又はＲＳシンボルを含んでもよい。
【００３４】
図２Ｃに示す例では、空白にされるべき特殊サブフレーム２３２の第１のシンボルの量は、ターゲット基地局１０４に対するＵＥ装置１０６のためのタイミングアドバンス（ＴＡｔａｒｇｅｔ）に基づいて、少なくとも部分的に判定される。ＴＡｔａｒｇｅｔは、ＵＥ装置１０６又はサービング基地局１０２のいずれか一方によって判定することができる。ＴＡｔａｒｇｅｔがＵＥ装置１０６によって判定される場合、ＵＥ装置１０６は、送信部２１８及びアンテナ２１２を利用して、判定されたＴＡｔａｒｇｅｔをサービング基地局１０２へ送信する。ＴＡｔａｒｇｅｔがＵＥ装置１０６の支援を受けてサービング基地局１０２により判定される場合、サービング基地局１０２は、判定されたＴＡｔａｒｇｅｔをＵＥ装置１０６へ送信する。いくつかの例では、サービング基地局１０２はまた、判定されたＴＡｔａｒｇｅｔをターゲット基地局１０４へ送信して、（例えば、上りリンクデータ送信から）ＵＥ装置１０６とターゲット基地局１０４との間の上りリンクチャネルの取得及び推定を容易にする。ただし、判定されたＴＡｔａｒｇｅｔは、近似値に過ぎないため、ターゲット基地局１０４は、特殊サブフレーム２３２において追加的な１つ以上のＲＳシンボルを依然として要求して、ＴＡｔａｒｇｅｔにより提供されるものよりも正確な上りリンクのタイミング測定値を取得してもよい。
【００３５】
ＴＡｔａｒｇｅｔがどのように判定されたかに拘わらず、ＵＥ装置１０６は、ＴＡｔａｒｇｅｔを利用して、空白にすべき特殊サブフレーム２３２の第１のシンボルの量を判定する。ＵＥ装置１０６は、特殊サブフレーム２３２の第１のシンボルの空白部分が、第１のシンボルの先端から開始し、かつ持続期間ｔｂｌａｎｋの間、広がるべきであると判定する。ここで、（ＴＡｔａｒｇｅｔ−ＴＡｓｅｒｖｉｎｇ）≦ｔｂｌａｎｋ≦１シンボル期間であり、ＴＡｓｅｒｖｉｎｇは、サービング基地局１０２に対するＵＥ装置１０６のためのタイミングアドバンスである。ｔｂｌａｎｋを算出する際、ＵＥ装置１０６とターゲット基地局１０４との間の距離がＵＥ装置１０６とサービング基地局１０２との間の距離より長い場合、ＴＡｔａｒｇｅｔ≧ＴＡｓｅｒｖｉｎｇであるが、そうでないシナリオでは、ＴＡｔａｒｇｅｔ＝ＴＡｓｅｒｖｉｎｇである。図２Ｃに示される例では、特殊サブフレーム２３２の第１のシンボルの空白部分ｔｂｌａｎｋは、（ＴＡｔａｒｇｅｔ−ＴＡｓｅｒｖｉｎｇ）に等しい。
【００３６】
特殊サブフレーム２３２は、それぞれ、２つのデータシンボルを有する第２のデータ領域２４０及び３つのデータシンボルを有する第３のデータ領域２４４を有する。特殊サブフレーム２３２は、それぞれが２つのＲＳシンボルを有する第１のＲＳ領域２３８及び第２のＲＳ領域２４２を更に含む。したがって、特殊サブフレーム２３２の第１のＲＳ領域２３８及び第２のＲＳ領域２４２は、それぞれ１つのＲＳシンボルを有するサブフレーム２２０の第１のＲＳ領域２２４及び第２のＲＳ領域２２８よりも多い数のＲＳシンボルを有する。しかしながら、他の例では、特殊サブフレーム２３２及び／又はＲＳ領域２３８、２４２は、それぞれサブフレーム２２０及び／又はＲＳ領域２２４、２２８に含まれるのと同じ数のＲＳシンボルを有してもよい。
【００３７】
したがって、特殊サブフレーム２３２は、サブフレーム２２０よりもＲＳシンボル密度が高い。図２Ｃの例は、サブフレーム２２０の第１及び第２のＲＳ領域２２４、２２８と比較したときの、特殊サブフレーム２３２の両方のＲＳ領域２３８、２４２における追加のＲＳシンボルを図示しているが、サブフレーム２２０と比較すると、特殊サブフレーム２３２には単に１つの追加的なＲＳシンボルが必要とされている。これに関して、特殊サブフレーム２３２における追加的な１つ以上のＲＳシンボルは、特殊サブフレーム２３２内の任意の好適な場所に配置されてもよい。
【００３８】
上記の説明は、ＲＳシンボルに焦点を当ててきたが、他の例では、既知のシーケンスを有する他の任意の好適なプリアンブルが、ＲＳシンボルのうちの１つ以上代わりに利用されてもよい。また、特殊サブフレーム２３２の中のデータシンボル及び１つ以上のＲＳシンボルは、ＵＥ装置１０６とターゲット基地局１０４との間の距離がサービング基地局１０２のカバレッジエリアの半径より大きい場合、拡張サイクリックプレフィックス（ＣＰ）を使用してもよい。代替的な例では、サービング基地局１０２は、特殊サブフレーム２３２とサービング基地局１０２によってサービスが提供されている他のＵＥ装置によって送信されるサブフレームとの間の衝突の回避を確実にするのを助けると考えられる、特殊サブフレーム２３２の第１のシンボルの少なくとも一部を空白にする代わりに、前回のサブフレームにおける最後のシンボルの送信を控えるように、サービング基地局１０２（例えば、ＵＥ装置１０７）によってサービスが提供されている他のＵＥ装置をスケジューリングしてもよい。
【００３９】
ＵＥ装置１０６は、送信部２１８及びアンテナ２１２を使用して、上りリンクデータ送信を上りリンク信号１１６として送信する。サービング基地局１０２及びターゲット基地局１０４は、自身のそれぞれのアンテナ２１０及び受信部２０８を使用して、上りリンクデータ送信を受信する。上りリンクデータ送信は、信号３１０により図３に表される。これに関して、サービング基地局１０２及びターゲット基地局１０４は、信号３１０を受信することができるので、信号３１０は、両方の基地局に送信されるものとして図３に図示される。両方の基地局は、信号３１０の意図された受け手である。サービング基地局１０２は、ＵＥ装置１０６が上りリンクデータ送信に含まれるデータを送信できるように上りリンクデータ送信を受信することを意図し、ターゲット基地局１０４は、ＵＥ装置１０６とターゲット基地局１０４との間のチャネル状態を推定するために上りリンクデータ送信を受信することを意図する。
【００４０】
上りリンクデータ送信を受信すると、ターゲット基地局１０４は、上りリンクデータ送信を復号することを試みる。特殊サブフレーム２３２の特徴により、ターゲット基地局１０４が、ＵＥ装置１０６用の測定に基づく上りリンクのタイミングを有さない（例えば、上りリンクデータ送信を受信する前にターゲット基地局１０４によって測定された、ＵＥ装置１０６に対する上りリンクのタイミングを有さない）にも拘わらず、ターゲット基地局１０４による上りリンクデータ送信の復号が容易になる。ターゲット基地局１０４はまた、上りリンクデータ送信を復号しようと試みる際、サービング基地局１０２から受信されたＵＥ装置関連情報を利用する。
【００４１】
ターゲット基地局１０４が最初の上りリンクデータ送信を復号することができない場合、ターゲット基地局１０４は、ＵＥ装置１０６からの１つ以上の上りリンクデータ送信の次の送信を単に待ち、次の上りリンクデータ送信の復号を試みることができる。ターゲット基地局１０４が上りリンクデータ送信の復号に成功すると、ターゲット基地局１０４は、ターゲット基地局１０４が上りリンクデータ送信の復号に成功したことをサービング基地局１０２に通知する。ターゲット基地局１０４が上りリンクデータ送信の復号に成功したことをサービング基地局１０２に通知する信号は、信号３１２によって図３に表されている。
【００４２】
しかしながら、サービング基地局１０２が、所定の数の上りリンクデータ送信及び／又は時間量の後に、ターゲット基地局１０４から信号３１２を受信していない場合、サービング基地局１０２は、１つ以上の以前の上りリンクデータ送信が失敗したため、次の上りリンクデータ送信のうちの１つ以上を送信するための送信電力を増加させるようにＵＥ装置１０６に要求を送信する。他の代替例では、ターゲット基地局１０４がＵＥ装置１０６からの上りリンクデータ送信のうちの１つ以上を復号できない場合、ターゲット基地局１０４は、サービング基地局１０２に信号を送信する。ターゲット基地局１０４が上りリンクデータ送信を復号することができないことを示す信号を受信すると、１つ以上の以前の上りリンクデータ送信が失敗したため、サービング基地局１０２は、ＵＥ装置１０６に対して、次の上りリンクデータ送信のうちの１つ以上を送信するための送信電力を増加させるように要求を送信する。ターゲット基地局１０４は、１つ以上の以前の上りリンクデータ送信の受信及び／又は復号を成功させることができない可能性があるが、サービング基地局１０２が以前の上りリンクデータ送信を復号することができたと仮定すれば、任意の次の上りリンクデータ送信は、以前の上りリンクデータ送信とは異なるデータを含む可能性が高い。
【００４３】
ターゲット基地局１０４が上りリンクデータ送信の復号に成功したことをサービング基地局１０２に通知する信号３１２を受信すると、サービング基地局１０２は、肯定応答をターゲット基地局１０４に送信し、サービング基地局１０２がＵＥ装置１０６をターゲット基地局１０４にハンドオーバする時刻Ｔのネゴシエーションを開始する。ネゴシエーションが行われたハンドオーバ時間Ｔは、いつハンドオーバを発生させるべきかを識別する特定のサブフレーム番号によって識別される。肯定応答及びハンドオーバネゴシエーションは、図３に、信号３１４により表されている。
【００４４】
サービング基地局１０２は、ハンドオーバコマンドをＵＥ装置１０６に送信し、ＵＥ装置１０６に、時刻Ｔにおいて、ターゲット基地局１０４にハンドオーバするように指示する。ハンドオーバコマンドは、信号３１６により、図３に表されている。ハンドオーバが時刻Ｔに発生した後、ターゲット基地局１０４は、上りリンクリソース割り当てをＵＥ装置１０６に送信する。上りリンクリソース割り当ては、信号３１８により、図３に表されている。上りリンクリソース割り当てに応答して、ＵＥ装置１０６がターゲット基地局１０４にデータを送信し始める前に、ＵＥ装置１０６は、ハンドオーバ確認メッセージをターゲット基地局１０４に送信する。しかしながら、他の例では、ハンドオーバ確認メッセージはまた、ＵＥ装置１０６からターゲット基地局１０４への最初の上りリンクデータ送信を含んでもよく、ターゲット基地局１０４は、上りリンクデータ送信に含まれるデータの意図された受け手である。ハンドオーバ確認メッセージは、信号３２０により、図３に表されている。
【００４５】
図４は、ターゲット基地局がＵＥ装置用の測定に基づく上りリンクのタイミングを有することなく（例えば、上りリンクデータ送信を受け取る前にターゲット基地局によって測定されたＵＥ装置に対する上りリンクのタイミングを有することなく）上りリンクデータ送信を復号することを可能にする特殊サブフレームを含む、ＵＥ装置が上りリンクデータ送信を送信する方法の例のフローチャートである。方法４００は、サービング基地局１０２によってサービスが提供されているＵＥ装置１０６をスケジューリングして、上りリンクデータ送信を送信するステップ４０２で始まる。上りリンクデータ送信は、サービング基地局１０２によってサービスが提供されている少なくとも１つの他のＵＥ装置１０７によって使用されているサブフレーム構造２２０とは異なるサブフレーム構造を有する特殊サブフレーム２３２を含む。特殊サブフレーム２３２は、少なくとも部分的に空白である第１のシンボルと、少なくとも１つの他のＵＥ装置１０７によって使用されているサブフレーム構造２２０に含まれていない少なくとも１つの追加の参照信号（ＲＳ）シンボルと、を含む。
【００４６】
本方法は、ステップ４０４に続き、ターゲット基地局１０４に対するタイミングアドバンス（ＴＡｔａｒｇｅｔ）を判定する。いくつかの例では、ＴＡｔａｒｇｅｔは、ＵＥ装置１０６によって判定され、ＵＥ装置１０６は、判定されたＴＡｔａｒｇｅｔをサービング基地局１０２に送信する。他の例では、ＴＡｔａｒｇｅｔは、ＵＥ装置１０６からの支援を受けてサービング基地局１０２により判定され、サービング基地局１０２は、判定されたＴＡｔａｒｇｅｔをＵＥ装置１０６へ送信する。
【００４７】
ステップ４０６において、判定されたＴＡｔａｒｇｅｔに少なくとも部分的に基づいて、第１のシンボルのうちどれだけを空白にすべきかに関する判定を行う。いくつかの例では、第１のシンボルの空白部分は、第１のシンボルの先端から始まり、持続期間ｔｂｌａｎｋの間続く。ここで、（ＴＡｔａｒｇｅｔ−ＴＡｓｅｒｖｉｎｇ）≦ｔｂｌａｎｋ≦１シンボル期間であり、ＴＡｓｅｒｖｉｎｇは、サービング基地局１０２に対するＵＥ装置１０６のためのタイミングアドバンスである。
【００４８】
ステップ４０８において、ＵＥ装置１０６は、上りリンクデータ送信を送信する。ステップ４１０で、１つ以上の以前の上りリンクデータ送信が失敗した（例えば、ターゲット基地局１０４が上りリンクデータ送信を受信及び／又は復号することができない）場合、ＵＥ装置１０６は、次の１つ以上の上りリンクデータ送信を送信するための送信電力を増加させる。いくつかの例では、サービング基地局１０２は、ＵＥ装置１０６からの送信電力の増加を要求する。他の例では、ターゲット基地局１０４は、ＵＥ装置１０６からの送信電力の増加を要求する。更に他の例では、ＵＥ装置１０６は、上りリンクデータ送信を送信するために使用される送信電力を増加させるべきであると自身で判断してもよい。
【００４９】
上りリンクデータ送信の受信に成功すると、ターゲット基地局１０４は、ステップ４１２において、ＵＥ装置１０６用の測定に基づく上りリンクのタイミングを有さずに（例えば、上りリンクデータの受信前にターゲット基地局によって測定されたＵＥ装置に対する上りリンクのタイミングを有さずに）上りリンクデータ送信を復号する。ステップ４１４で、上りリンクデータ送信の復号に成功した後、ＵＥ装置１０６は、サービング基地局１０２からターゲット基地局１０４にハンドオーバされる。
【００５０】
図５は、ターゲット基地局が上りリンクデータ送信からＵＥ装置の上りリンクのタイミングを取得する方法の一例のフローチャートである。本方法は、ステップ５０２で、ＵＥ装置１０６が、ＵＥ装置１０６にサービスを提供しているサービング基地局１０２に上りリンクデータ送信を送信することから始まる。本方法は、ステップ５０４に続き、ターゲット基地局１０４は、上りリンクデータ送信からＵＥ装置１０６の上りリンクのタイミングを取得する。
【００５１】
本発明の他の実施形態及び変更例は、これらの教示を参酌して、明らかに、当業者に容易に創作されるだろう。上述の記載は、例示的であり限定的なものではない。本発明は、上記の明細書及び添付の図面に基づく実施形態及び変更例の全てを含む、以下の請求項によってのみ限定される。したがって、本発明の範囲は、上記の記載を参照して決定されるのではなく、均等物の全範囲と共に添付される請求項を参照して決定されるべきである。
【図１】
2019530303.tif 000003
【図２Ａ】
2019530303.tif 000004
【図２Ｂ】
2019530303.tif 000005
【図２Ｃ】
2019530303.tif 000006
【図３】
2019530303.tif 000007
【図４】
2019530303.tif 000008
【図５】
2019530303.tif 000009
【国際調査報告】
2019530303.tif 000010
2019530303.tif 000011
2019530303.tif 000012